(57)【要約】【課題】複数の問題に対する解答の正誤に関する評価を好適に実行することが可能なコンピュータ装置、評価システム、及びプログラムを提供する。【解決手段】端末装置３は、電子ペン１から送信される記入情報に基づき、解答の一覧をディスプレイ４上に表示させる。そして、端末装置３は、ディスプレイ４上での電子ペン１の記入に基づき生成された記入情報に基づき、各解答に対して評価記号が記入されたか否か判定することで、未評価解答を認識する。そして、端末装置３は、評価一括決定ボタン６１、６２が選択された場合、未評価解答の正誤評価を一括して決定し、各未評価解答の解答表示エリア５２に対して評価記号を描画する。【選択図】図８
2014134854.tif 000002
【特許請求の範囲】
【請求項１】
複数の問題に対する解答の正誤に関する評価を決定するコンピュータ装置であって、
正誤に関する評価がされていない解答である未評価解答を認識し、当該未評価解答の正誤に関する評価を、外部入力に基づき指定された評価に一括して決定する評価手段
を有することを特徴とするコンピュータ装置。
【請求項２】
前記解答の一覧を表示手段に表示させる表示制御手段をさらに備え、
前記表示制御手段は、前記評価手段が前記未評価解答の正誤に関する評価を一括して決定した場合、当該未評価解答の表示エリアの各々に対し、前記評価手段が決定した評価に対応する評価記号を描画することを特徴とする請求項１に記載のコンピュータ装置。
【請求項３】
前記表示制御手段は、複数の解答者の解答の一覧を前記表示手段に表示させ、
前記評価手段は、前記表示手段に表示させた解答のうち正誤に関する評価がされていない未評価解答の正誤に関する評価を、前記外部入力に基づき指定された評価に一括して決定することを特徴とする請求項２に記載のコンピュータ装置。
【請求項４】
前記表示制御手段は、前記解答の一覧と共に、前記解答の正誤に関する評価の操作を開始するための開始ボタンを前記表示手段に表示させ、
前記評価手段は、前記開始ボタンが選択された後に、前記解答の表示エリアを含む所定エリア上でのストロークの描画を指示する入力があった場合、当該解答は正誤に関する評価がされたと判断することを特徴とする請求項２または３に記載のコンピュータ装置。
【請求項５】
前記表示制御手段は、前記解答の一覧と共に、前記解答の正誤に関する評価の操作を開始するための開始ボタンを前記表示手段に表示させ、
前記表示制御手段は、前記開始ボタンが選択された場合、前記解答の表示エリアに並べて前記解答の各々に対する正解を前記表示手段に表示させることを特徴とする請求項２〜４のいずれか一項に記載のコンピュータ装置。
【請求項６】
前記表示制御手段は、未評価解答の正誤に関する評価を所定の評価に一括して決定するための評価決定ボタンを前記表示手段に表示させ、
前記評価手段は、前記評価決定ボタンが選択された場合、前記未評価解答の正誤に関する評価を、前記評価決定ボタンに対応する評価に一括して決定することを特徴とする請求項２〜５のいずれか一項に記載のコンピュータ装置。
【請求項７】
請求項１〜６のいずれか一項に記載のコンピュータ装置と、
問題に対する解答を記入する解答欄が印刷され、前記解答欄にコード化パターンが印刷されたシートと、
前記コード化パターンを読み取り、手書きストロークに関する記入情報を生成する電子ペンとを有する評価システムであって、
前記コンピュータ装置の評価手段は、
前記電子ペンから受信した記入情報に基づき認識した解答のうち、正誤に関する評価がされていない解答である未評価解答を認識し、当該未評価解答の正誤に関する評価を、外部入力に基づき指定された評価に一括して決定することを特徴とする評価システム。
【請求項８】
前記電子ペンは、当該電子ペンの識別情報を前記記入情報に含め、
前記評価手段は、前記記入情報に基づき、前記解答の評価を行う者が使用する電子ペンにより前記解答欄を含む所定エリアにおいてストロークが記入されたと判断した場合、当該解答欄に記入された解答は正誤に関する評価がされたと判断することを特徴とする請求項７に記載の評価システム。
【請求項９】
請求項１〜８のいずれか一項に記載のコンピュータ装置として機能させることを特徴とするプログラム。
【発明の詳細な説明】
【技術分野】
【０００１】
本発明は、問題の解答に対して正誤に関する評価を効率的に行う技術に関する。
【背景技術】
【０００２】
従来から、記入した情報を電子化する電子ペンが開発されており、その代表的なものとしてスウェーデンのＡｎｏｔｏ社が開発した「アノトペン（Ａｎｏｔｏ  ｐｅｎ）」が知られている。例えば、特許文献１に記載されているように、アノトペンは、用紙に印刷された所定のドットパターンを読み取って記入情報を生成し、当該記入情報をコンピュータ装置に送信する。
【０００３】
また、特許文献２には、解答欄が設けられた用紙に所定の採点記号を採点者が電子ペンにより記入した場合に、記入情報に基づき採点記号を認識して採点を行う採点システムが開示されている。また、特許文献３には、電子ペンで記入した解答と、正解とを比較し、解答の正誤判定を行う技術が開示されている。
【先行技術文献】
【特許文献】
【０００４】
【特許文献１】特許第３８４２２８３号公報
【特許文献２】特許第４１１２９６７号公報
【特許文献３】特開２００９−３２２７号公報
【発明の概要】
【発明が解決しようとする課題】
【０００５】
採点者が電子ペンなどにより複数の問題がある解答の正誤に関する評価を行うときに、個々の解答の全てに対して○や×などの評価（採点）記号を付して評価を行うのは手間がかかる場合がある。従って、この場合、評価（採点）記号を付して正誤に関する評価を行う操作を簡略化することができると便宜である。そこで、本発明は、複数の問題に対する解答の正誤に関する評価を好適に実行することが可能なコンピュータ装置、評価システム、及びプログラムを提供することを主な目的とする。
【課題を解決するための手段】
【０００６】
本発明に係るコンピュータ装置は、複数の問題に対する解答の正誤に関する評価を決定するコンピュータ装置であって、正誤に関する評価がされていない解答である未評価解答を認識し、当該未評価解答の正誤に関する評価を、外部入力に基づき指定された評価に一括して決定する評価手段を有する。
【０００７】
上記のコンピュータ装置は、評価手段を有し、複数の問題に対する解答の正誤に関する評価を決定する。評価手段は、正誤に関する評価がされていない解答である未評価解答を認識し、当該未評価解答の正誤に関する評価を、外部入力に基づき指定された評価に一括して決定する。このようにすることで、コンピュータ装置は、未評価解答が同一の評価となった場合に、当該未評価解答の正誤に関する評価を一括して決定することができる。従って、コンピュータ装置は、未評価解答が同一の評価となった場合のユーザ操作を好適に簡易化することができる。
【０００８】
上記コンピュータ装置の他の一態様では、前記解答の一覧を表示手段に表示させる表示制御手段をさらに備え、前記表示制御手段は、前記評価手段が前記未評価解答の正誤に関する評価を一括して決定した場合、当該未評価解答の表示エリアの各々に対し、前記評価手段が決定した評価に対応する評価記号を描画する。この態様により、コンピュータ装置は、未評価解答に対する評価記号を一括して描画することができ、ユーザの操作を好適に簡易化することができる。
【０００９】
上記コンピュータ装置の他の一態様では、前記表示制御手段は、複数の解答者の解答の一覧を前記表示手段に表示させ、前記評価手段は、前記表示手段に表示させた解答のうち正誤に関する評価がされていない未評価解答の正誤に関する評価を、前記外部入力に基づき指定された評価に一括して決定する。この態様により、コンピュータ装置は、ユーザの入力に基づき、複数の解答者の解答に対する評価を好適に実行することができる。
【００１０】
上記コンピュータ装置の他の一態様では、前記表示制御手段は、前記解答の一覧と共に、前記解答の正誤に関する評価の操作を開始するための開始ボタンを前記表示手段に表示させ、前記評価手段は、前記開始ボタンが選択された後に、前記解答の表示エリアを含む所定エリア上でのストロークの描画を指示する入力があった場合、当該解答は正誤に関する評価がされたと判断する。この態様により、コンピュータ装置は、未評価解答を好適に認識することができる。
【００１１】
上記コンピュータ装置の他の一態様では、前記表示制御手段は、前記解答の一覧と共に、前記解答の正誤に関する評価の操作を開始するための開始ボタンを前記表示手段に表示させ、前記表示制御手段は、前記開始ボタンが選択された場合、前記解答の表示エリアに並べて前記解答の各々に対する正解を前記表示手段に表示させる。この態様により、コンピュータ装置は、解答の評価者に対し、答え合わせを好適に実行させることができる。
【００１２】
上記コンピュータ装置の他の一態様では、前記表示制御手段は、未評価解答の正誤に関する評価を所定の評価に一括して決定するための評価決定ボタンを前記表示手段に表示させ、前記評価手段は、前記評価決定ボタンが選択された場合、前記未評価解答の正誤に関する評価を、前記評価決定ボタンに対応する評価に一括して決定する。この態様により、評価者は、未評価解答に対する評価に対応する評価決定ボタンを選択することで、未評価解答に対する評価を一括して行うことができる。
【００１３】
本発明に係る評価システムは、上記いずれか記載のコンピュータ装置と、問題に対する解答を記入する解答欄が印刷され、前記解答欄にコード化パターンが印刷されたシートと、前記コード化パターンを読み取り、手書きストロークに関する記入情報を生成する電子ペンとを有する評価システムであって、前記コンピュータ装置の評価手段は、前記電子ペンから受信した記入情報に基づき認識した解答のうち、正誤に関する評価がされていない解答である未評価解答を認識し、当該未評価解答の正誤に関する評価を、外部入力に基づき指定された評価に一括して決定する。評価システムは、この態様により、コンピュータ装置は、問題用紙や問題冊子などに電子ペンにより記入された解答を対象に正誤に関する評価を行う場合であって、未評価解答が同一の評価となった場合に、当該未評価解答の正誤に関する評価を一括して決定することができる。
【００１４】
上記評価システムの一態様では、前記電子ペンは、当該電子ペンの識別情報を前記記入情報に含め、前記評価手段は、前記記入情報に基づき、前記解答の評価を行う者が使用する電子ペンにより前記解答欄を含む所定エリアにおいてストロークが記入されたと判断した場合、当該解答欄に記入された解答は正誤に関する評価がされたと判断する。この態様により、評価者は、専用の電子ペンを用いることで、解答が記入されたシート上で好適に各解答に対して正誤に関する評価を行うことができる。
【００１５】
本発明に係るプログラムは、上記記載のいずれか一つのコンピュータ装置として機能させる。これらのプログラムをコンピュータ装置にインストールして機能させることで、本発明に係るコンピュータ装置を構成させることができる。
【発明の効果】
【００１６】
本発明によれば、コンピュータ装置は、未評価解答が同一の評価となった場合に、当該未評価解答の正誤に関する評価を一括して決定することができる。従って、コンピュータ装置は、未評価解答が同一の評価となった場合のユーザ操作を好適に簡易化することができる。
【図面の簡単な説明】
【００１７】
【図１】第１実施形態における評価システムのシステム構成図である。
【図２】ドットパターンにおけるドットの配置と変換される値との関係を示す説明図である。
【図３】（ａ）は、ドットパターンを模式的に示し、（ｂ）は、それに対応する情報の例を示す図である。
【図４】電子ペンの構造を示す概略図である。
【図５】ディスプレイの概略構成を示す。
【図６】端末装置の概略構成を示す。
【図７】評価モード時のディスプレイの表示例を示す。
【図８】評価一括決定ボタンが選択された後のディスプレイの表示例を示す。
【図９】変形例に係るディスプレイの表示例を示す。
【図１０】変形例に係るディスプレイの表示例を示す
【図１１】第２実施形態における評価システムのシステム構成図である。
【図１２】採点ボタンが選択される前のディスプレイの表示例を示す。
【図１３】評価モード時のディスプレイの表示例を示す。
【図１４】評価一括決定ボタンが選択された後のディスプレイの表示例を示す。
【発明を実施するための形態】
【００１８】
以下、図面を参照しながら、本発明の実施の形態である第１実施形態及び第２実施形態について順に説明する。
【００１９】
＜第１実施形態＞
まず、本発明に係る第１実施形態について説明する。
【００２０】
［評価システムの構成］
図１は、第１実施形態に係る評価システムの構成を示す。図１に示すように、評価システムは、ユーザが使用する電子ペン１と、各記入欄にドットパターン（コード化パターン）が印刷された問題用紙２と、電子ペン１から記入情報を受信して処理する端末装置３とを備える。
【００２１】
図１に示すように、端末装置３は、問題用紙２の画像をディスプレイ４に表示させると共に、電子ペン１から受信した記入情報に基づき、問題用紙２の解答記入欄２２に記入されたストロークを、対応する解答表示エリア５２に表示させる。ディスプレイ４には、図３で後述するように、電子ペン１に記入情報を生成させるためのドットパターンが形成されたドットパターン形成層（ドットパターンオーバーレイヤ：ＤＯＬ）４０と、指による入力を検知するタッチパネル４４とが形成されている。そして、端末装置３は、ディスプレイ４上での電子ペン１又は指による操作に基づき、問題用紙２の解答記入欄２２に記入された解答の正誤に関する評価（単に「正誤評価」とも呼ぶ。）を行う。以下、評価システムの各構成要素について説明する。
【００２２】
（問題用紙）
まず、問題用紙（シート）２について図１を参照して説明する。問題用紙２には、名前を記入する氏名記入欄２１と、設問（１）から（５）までの各問題に対する解答を記入する解答記入欄２２Ａ〜２２Ｅ（２２）とが記入欄として設けられている。そして、氏名記入欄２１と、解答記入欄２２には、位置座標を示すドットパターン（コード化パターン）が印刷される。ドットパターンは、電子ペン１により読み取ることができるように赤外線を吸収するカーボンを含んだインキにより印刷される。そして、ドットパターン以外の文字や罫線等は、電子ペン１によるドットパターンの読み取りを疎外しないよう、赤外域に吸収性を持たないインキにより印刷される。
【００２３】
（ドットパターン）
次に、図２と図３を参照しながら、問題用紙２の記入欄及びＤＯＬ４０に形成されたアノト方式のドットパターン（コード化パターン）について説明する。図２は、問題用紙２の記入欄及びＤＯＬ４０に形成されたドットパターンのドットと、そのドットが変換される値との関係を説明する図である。図２に示すように、ドットパターンの各ドットは、その位置によって所定の値に対応付けられている。すなわち、ドットの位置を格子の基準位置（縦線及び横線の交差点）から上下左右のどの方向にシフトするかによって、各ドットは、０〜３の値に対応付けられている。また、各ドットの値は、さらに、Ｘ座標用の第１ビット値及びＹ座標用の第２ビット値に変換できる。このようにして対応付けられた情報の組み合わせにより、問題用紙２の記入欄やＤＯＬ４０上の位置座標が決定されるように構成されている。従って、問題用紙２の各記入欄及びＤＯＬ４０には、それぞれ、座標領域が重ならないようドットパターンが形成される。
【００２４】
図３（ａ）は、あるドットパターンの配列を示している。図３（ａ）に示すように、縦横約２ｍｍの範囲内に６×６個のドットが、問題用紙２の記入欄又はＤＯＬ４０上のどの部分から６×６ドットを取っても、ユニークなパターンとなるように配置されている。これら３６個のドットにより形成されるドットパターンは位置座標（例えば、そのドットパターンが問題用紙２の記入欄又はＤＯＬ４０上のどの位置にあるのか）を保持している。図３（ｂ）は、図３（ａ）に示す各ドットを、格子の基準位置からのシフト方向によって、図２に示す規則性に基づいて、対応づけられた値に変換したものである。この変換は、ドットパターンの画像を撮影する電子ペン１によって行われる。
【００２５】
（電子ペン）
次に、電子ペン１について図４を用いて説明する。図４は、電子ペン１の構造を示す概略図である。図４に示すように、電子ペン１は、その筐体１０１の内部に、インクカートリッジ１０４、ＬＥＤ１０５、ＣＭＯＳカメラ１０６、圧力センサ１０７、ＣＰＵ等により構成されるプロセッサ１０８、ＲＯＭやＲＡＭといったメモリ１０９、リアルタイムクロック１１０、アンテナ等により構成される通信ユニット１１１及びバッテリー１１２を備える。インクカートリッジ１０４の先端は、ペン先部１０３となっており、ユーザは、電子ペン１のペン先部１０３を問題用紙２の記入欄又はディスプレイ４上のＤＯＬ４０に当接させて、ストローク（手書きストローク）を記入する。ここで、電子ペン１のペン先部１０３が問題用紙２の記入欄又はＤＯＬ４０に最初に接触することをペンダウンと呼び、接触している（当接している）状態からペン先部１０３が離れることをペンアップと呼ぶ。電子ペン１のペンダウンからペンアップまでの間に記入される軌跡が１つのストロークとなり、文字や図形等は、１つ又は複数個のストロークからなる。
【００２６】
バッテリー１１２は、電子ペン１内の各部品に電力を供給するためのものであり、例えば電子ペン１のキャップ（図示せず）の脱着により電子ペン１自体の電源のオン／オフを行うよう構成させてもよい。リアルタイムクロック１１０は、現在時刻（タイムスタンプ）を示す時刻情報を発信し、プロセッサ１０８に供給する。圧力センサ１０７は、ユーザが電子ペン１により問題用紙２の記入欄又はディスプレイ４上のＤＯＬ４０に文字やマークを書いたりタップしたりする際にペン先部１０３からインクカートリッジ１０４を通じて与えられる圧力、即ち筆圧を検出し、その値をプロセッサ１０８へ伝送する。
【００２７】
プロセッサ１０８は、圧力センサ１０７から与えられる筆圧データに基づいて、ＬＥＤ１０５及びＣＭＯＳカメラ１０６のスイッチのオン／オフを切替える。即ち、ユーザが電子ペン１で問題用紙２の記入欄又はディスプレイ４上のＤＯＬ４０に文字などを書くと、ペン先部１０３に筆圧がかかり、圧力センサ１０７によって所定値以上の筆圧が検出されたときに、プロセッサ１０８は、ユーザが記入を開始したと判定して、ＬＥＤ１０５及びＣＭＯＳカメラ１０６を作動させる。そして、通信ユニット１１１が、圧力センサ１０７により検出されたペンダウン情報と、後述する電子ペン１の識別情報（以後、「ペンＩＤ」と呼ぶ。）とを関連付けて、記入情報として端末装置３へ送信する。また、ユーザが１つのストロークを記入し終えて電子ペン１を問題用紙２の記入欄等から離すと、圧力センサ１０７は、所定値以上の筆圧が検出されなくなることでペンアップを検出する。すると、通信ユニット１１１が、圧力センサ１０７により検出されたペンアップ情報とペンＩＤとを関連付けて、記入情報として端末装置３へ送信する。
【００２８】
ＬＥＤ１０５とＣＭＯＳカメラ１０６は、電子ペン１のペン先部１０３付近に取り付けられており、筐体１０１におけるＬＥＤ１０５及びＣＭＯＳカメラ１０６と対向する部分には、開口部１０２が形成されている。ＬＥＤ１０５は、問題用紙２の記入欄又はＤＯＬ４０上のペン先部１０３近傍に向けて赤外線を照明する。その領域は、ペン先部１０３が問題用紙２の記入欄等に接触する位置とはわずかにずれている。ＣＭＯＳカメラ１０６には、赤外線を透過し赤外線以外を遮断する赤外線フィルタが設けられており、ＣＭＯＳカメラ１０６は、ＬＥＤ１０５によって照明された領域内におけるドットパターンを撮影し、そのドットパターンの画像データをプロセッサ１０８に供給する。
【００２９】
ここで、問題用紙２の記入欄に印刷されたドットのインク素材は、赤外線を吸収するため、ＬＥＤ１０５によって照射された赤外線は、ドットによって吸収される。そのため、ドットの部分は、赤外線の反射量が比較的少なく、ドット以外の部分は赤外線の反射量が比較的多い。ＣＭＯＳカメラ１０６の撮影により、赤外線の反射量の違いから閾値を設けることによって、ドットの領域とそれ以外の領域を区別することができる。一方、ＤＯＬ４０に形成されたドットのインク素材は、後述するように赤外線を反射するため、ＬＥＤ１０５によって照射された赤外線は、ドットによって反射される。そのため、ドットの部分は、赤外線の反射量が比較的多く、ドット以外の部分は赤外線の反射量が比較的少ない。ＣＭＯＳカメラ１０６の撮影により、赤外線の反射量の違いから閾値を設けることによって、ドットの領域とそれ以外の領域を区別することができる。なお、ＣＭＯＳカメラ１０６による撮影領域は、図３（ａ）に示すような約２ｍｍ×約２ｍｍの大きさを含む範囲であり、ＣＭＯＳカメラ１０６の撮影は毎秒５０〜１００回程度の定間隔で行われる。また、ＣＭＯＳカメラ１０６は、ドットを鮮明に撮影するため、十分な被写界深度を有している。
【００３０】
プロセッサ１０８は、ユーザの記入が行われる間、ＣＭＯＳカメラ１０６によって供給される画像データのドットパターンから、ユーザが記入するストローク（筆跡）の問題用紙２の記入欄等におけるＸ、Ｙ座標（以後、単に「座標データ」または「座標情報」とも呼ぶ。）を連続的に演算していく。すなわち、プロセッサ１０８は、ＣＭＯＳカメラ１０６によって供給される、図３（ａ）に示されるようなドットパターンの画像データを図３（ｂ）に示すデータ配列に変換し、さらに、Ｘ座標ビット値・Ｙ座標ビット値に変換して、そのデータ配列から所定の演算方法によりＸ、Ｙ座標データを演算する。なお、プロセッサ１０８は、ドットパターンに対向する電子ペン１の傾きに起因するドットの配列を補正する回転補正処理機能を備えている。そして、プロセッサ１０８は、リアルタイムクロック１１０から発信される現在時刻（タイムスタンプ：記入された時刻情報）、筆圧データ及びＸ、Ｙ座標データを関連付ける。以後、これらの関連付けたデータを、まとめて「座標属性情報」と呼ぶ。なお、問題用紙２の記入欄やＤＯＬ４０における６×６のドットパターンは、問題用紙２の記入欄やＤＯＬ４０内で重複することはないため、ユーザが電子ペン１で文字等を記入すると、記入された位置が問題用紙２の記入欄やＤＯＬ４０内のどの位置に当たるかを、プロセッサ１０８による座標演算により特定することができる。
【００３１】
メモリ１０９には、電子ペン１を識別するための「ｐｅｎ０１」といったペンＩＤ、ペン製造者番号、ペンソフトウェアのバージョン等のプロパティ情報が記憶されている。そして、通信ユニット１１１は、ペンＩＤと、時刻情報（タイムスタンプ）と、筆圧データと、Ｘ、Ｙ座標データとを関連付けて、記入情報として端末装置３へ送信する。通信ユニット１１１による端末装置３への送信は、Ｂｌｕｅｔｏｏｔｈ（登録商標）などの無線送信によって、即時的かつ逐次的に行われる。ここで、電子ペン１のペンダウンからペンアップまでの間に生成されて端末装置３に送信された１個又は複数個の座標属性情報は、端末装置３によりストローク情報として記憶される。換言すると、１つのストロークは、１個又は複数個のＸ、Ｙ座標（座標点）からなり、端末装置３は、ペンダウン情報及びペンアップ情報によって、１つのストロークを構成する１個又は複数個の座標属性情報を認識する。このように、ユーザの一つのストロークの記入により、電子ペン１によって生成される座標属性情報の集合を「ストローク情報」と呼ぶ。また、ペン先部１０３は、プラスチックやステンレスなどの素材により形成される。ペン先部１０３は、インクを有さず、筆圧をインクカートリッジ１０４を介して圧力センサ１０７に伝達する。
【００３２】
なお、電子ペン１のタップによるペン先から出力されたインキがＤＯＬ４０に付いた場合は、布等で拭き取ればよいが、電子ペン１は、インクカートリッジ１０４に代えて、インキが充填されていないペン部を備えてもよい。この場合、ペン先部１０３からインキが出力されない。また、好適には、評価システムは、問題用紙２への記入用の電子ペン１と、端末装置３への記入用の電子ペン１とをそれぞれ有してもよい。この場合、問題用紙２への記入用の電子ペン１は、インクカートリッジ１０４を備え、端末装置３への記入用の電子ペン１はペン先部１０３からインキが出力されないペン部を備える。また、電子ペン１は、無線送信によって端末装置３へ記入情報を送信したが、これに限らず、端末装置３と有線により接続し、有線送信によって端末装置３へ記入情報を送信してもよい。
【００３３】
また、好適には、電子ペン１は、ＣＭＯＳカメラ１０６がドットパターンを認識した際、ドットパターンが赤外線反射材で構成されているか、又は赤外線吸収材で構成されているか判断し、当該判断に基づきドットパターンの読み取りプログラムを切り替えてもよい。具体的には、電子ペン１は、まず、ＣＭＯＳカメラ１０６が撮影した画像に対して所定の閾値を用いて２値化処理を行い、当該２値化処理された画像より赤外線反射領域及び赤外線吸収領域を判別し、赤外線反射領域の面積と赤外線吸収領域の面積との大小関係を比較する。そして、電子ペン１は、赤外線反射領域よりも赤外線吸収領域が大きい場合には、２値化処理された画像に対してネガポジ反転処理を行い、ネガポジ反転処理を行った場合にはネガポジ反転処理された画像に基づいてドットパターンを認識し、ネガポジ反転処理を行わなかった場合には２値化処理された画像に基づいてドットパターンを認識する。これにより、赤外線吸収性のインクにより印刷されたドットパターン及び赤外線反射性のインキにより印刷されたドットパターンの両方を適切に認識することが可能となる。
【００３４】
（端末装置）
次に、端末装置３について説明する。以下では、端末装置３のディスプレイ４の構成について説明した後、端末装置３の全体構成について説明する。
【００３５】
（１）ディスプレイの構成
図５は、ディスプレイ４の構成を示す。図５に示すように、ディスプレイ４は、多層構造を有し、上層から順に、ＤＯＬ４０と、タッチパネル４４と、ディスプレイパネル４５と、を備える。
【００３６】
ＤＯＬ４０は、ディスプレイ４の最上層に配置される。ＤＯＬ４０は、ポリエチレンテレフタラートなどの透明樹脂基板である基材フィルム４３に、電子ペン１により読み取ることができるよう赤外線を反射する素材（酸化チタン、コレステリック液晶、赤外線反射性顔料など）を含んだインクによりドットパターン（コード化パターン）４２が印刷され、さらに透明なＥＢ硬化樹脂などの保護層４１で保護された層構成を有している。ここで、ドットパターン４２を、赤外線を反射する素材で印刷しているのは、ＤＯＬ４０の下層にあるディスプレイパネル４５から様々な色の可視光が放射されても、電子ペン１によってコントラストよくドットパターン４２を認識させるのに、望ましいからである。
【００３７】
ＤＯＬ４０の裏面には、タッチパネル４４が接着されている。タッチパネル４４は、ＤＯＬ４０上での指の押下による静電容量の変化を捉えて位置を検出する静電容量方式のタッチパネルである。なお、電子ペン１のペン先部１０３は、プラスチック又はステンレスなどの素材であり、ＤＯＬ４０上での電子ペン１の接触又は押下によっては、タッチパネル４４の静電容量は変化しない。従って、タッチパネル４４は、電子ペン１によるＤＯＬ４０上での接触及び押下を検出しない。
【００３８】
なお、本発明が適用可能なディスプレイ４の構成は、図５の構成に限定されない。これに代えて、ディスプレイ４は、ドットパターン４２と基材フィルム４３との間、あるいは基材フィルム４３とタッチパネル４４との間に赤外線反射層が設けられ、さらにドットパターン４２が赤外線を吸収するカーボンを含んだインクにより印刷される構成であってもよい。
【００３９】
（２）端末装置の全体構成
次に、端末装置３の全体構成について図６を参照して説明する。端末装置３は、ハードウェアとして、電子ペン１とのデータ通信が可能なアンテナ装置、ＣＰＵ等のプロセッサ、ＲＯＭやＲＡＭといったメモリ、マウスやキーボード等で構成される。端末装置３は、例えば、ディスプレイ４を表示部として備えるｉＰａｄ（登録商標）などのタブレットＰＣやＰＤＡ（Ｐｅｒｓｏｎａｌ  Ｄａｔａ  Ａｓｓｉｓｔａｎｃｅ）等である。端末装置３は、図６に示すように、機能的には、タッチパネル４４などの入力手段３１、受信手段３２、処理手段３４、記憶手段３５、ディスプレイパネル４５などの表示手段３６を備える。そして、端末装置３は、電子ペン１から受信した記入情報、及びタッチパネル４４から受信した入力情報（「タッチパネル入力情報」とも呼ぶ。）に基づいて所定の処理を行うものである。
【００４０】
通信手段３２は、アンテナ受信回路等により構成され、電子ペン１から記入情報を受信し、処理手段３４に伝送する。また、端末装置３は、ＤＯＬ４０に形成されたドットパターン４２にかかる座標系（「ＤＯＬ座標系」とも呼ぶ。）をディスプレイパネル４５にかかる座標系（「ディスプレイ座標系」とも呼ぶ。）に変換するための第１座標変換関数、及び、タッチパネル４４にかかる座標系（「タッチパネル座標系」とも呼ぶ。）をディスプレイ座標系に変換するための第２座標変換関数をそれぞれ求めるキャリブレーション処理機能を有している。さらに、端末装置３は、そのキャリブレーション処理により求められた第１座標変換関数を用いて、ＤＯＬ座標系のデータを受信したときに、ディスプレイ座標系のデータに変換し、ストロークを描画したり、所定の処理を行ったりする機能、及び、第２座標変換関数を用いて、タッチパネル座標系のデータを受信したときに、ディスプレイ座標系のデータに変換し、アイコンの選択等の所定の処理を行う機能を有している。
【００４１】
処理手段３４は、ＣＰＵ等のプロセッサによって構成され、端末装置３の全体の制御を行う。また、処理手段３４は、上記キャリブレーション処理機能により求めた第１座標変換関数及び第２座標変換関数を記憶手段３５に記憶する。そして、処理手段３４は、以下に述べる表示制御手段３４１と、評価手段３４２とを有する。
【００４２】
表示制御手段３４１は、端末装置３が電子ペン１から記入情報を受信すると、後述する座標定義情報を参照し、当該記入情報が示す座標データがＤＯＬ座標系の座標領域又は問題用紙２に印刷されたドットパターンの座標領域のいずれに属するかを認識する。そして、電子ペン１から受信した記入情報の座標データが問題用紙２に印刷されたドットパターンの座標範囲に属する場合、表示制御手段３４１は、当該記入情報に基づき、電子ペン１による問題用紙２へのストロークを、表示手段３６に表示させた問題用紙２の画像上に表示させる。図１では、表示制御手段３４１は、座標定義情報を参照し、氏名記入欄２１に記入された「やまだ」を示すストロークを、ディスプレイ４上の氏名表示エリア５１に表示し、解答記入欄２２Ａ、２２Ｂに記入された「８」、「９」を示すストロークを、それぞれ、ディスプレイ４上の解答表示エリア５２Ａ、５２Ｂに表示している。
【００４３】
一方、電子ペン１から受信した記入情報の座標データがＤＯＬ座標系の場合、表示制御手段３４１は、当該記入情報に含まれる座標データを、第１座標変換関数を用いて、ディスプレイ座標系のデータに変換する。そして、表示制御手段３４１は、変換後の座標データ等に基づくストロークをディスプレイパネル４５に表示させたり、ストロークの該当する位置にボタン（例えば図１の採点ボタン６０）等が表示されていた場合には、当該ボタンの選択等の処理を行ったりする。
【００４４】
また、表示制御手段３４１は、端末装置３がタッチパネル４４からタッチパネル入力情報を受信すると、タッチパネル入力情報に含まれるタッチパネル座標系の座標データを、第２座標変換関数を用いて、ディスプレイ座標系のデータに変換する。そして、処理手段３４は、変換後の座標データにボタン等が表示されていた場合には、当該ボタンの選択等の処理を行う。
【００４５】
評価手段３４２は、ディスプレイ４上の各解答表示エリア５２Ａ〜５２Ｅのうち、正誤評価のマーク（「評価記号」とも呼ぶ。）が電子ペン１により記入されていないエリアに対応する解答（「未評価解答」とも呼ぶ。）を認識する。そして、評価手段３４２は、未評価解答が全て正解である旨の入力があった時には、当該未評価解答が全て正解であると認識する。この場合、表示制御手段３４１は、正解であることを示す評価記号（「正解記号」とも呼ぶ。）を、未評価解答に対応する解答表示エリア５２Ａ〜５２Ｅに表示する。同様に、評価手段３４２は、未評価解答が全て不正解である旨の入力があった時には、当該未評価解答が全て不正解であると認識する。この場合、表示制御手段３４１は、不正解であることを示す評価記号（「誤答記号」とも呼ぶ。）を、未評価解答に対応する解答表示エリア５２Ａ〜５２Ｅに表示する。この具体的な処理については、［正誤評価処理］のセクションで詳しく説明する。
【００４６】
記憶手段３５は、ＲＯＭやＲＡＭといったメモリによって構成される。記憶手段３５は、第１座標変換関数及び第２座標変換関数を記憶する。また、記憶手段３５は、処理手段３４の処理命令により、電子ペン１から受信した記入情報をペンＩＤ毎に記憶したり、プログラムの実行により生成される所定のデータを記憶したりする。また、記憶手段３５は、問題用紙２の氏名記入欄２１及び解答記入欄２２に印刷されたドットパターンの座標範囲やＤＯＬ座標系の座標範囲などの各ドットパターンの座標範囲と、当該ドットパターンが形成されたエリアとを関連付けた情報（「座標定義情報」とも呼ぶ。）を記憶する。また、記憶手段３５は、問題用紙２をディスプレイ４上で表示するための問題用紙２の画像を記憶する。
【００４７】
［正誤評価処理］
次に、処理手段３４が実行する正誤評価処理について説明する。以後では、一例として、まず不正解の解答の各々に電子ペン１により誤答記号を記入した後、ボタン操作により他の正解の解答に対して一括して正解記号を付す例について、図７及び図８を参照して説明する。
【００４８】
図７は、電子ペン１による問題用紙２の解答記入欄２２への記入が終了した後、採点ボタン６０を選択して電子ペン１により評価記号をユーザが記入する際の端末装置３の上面図を示す。
【００４９】
まず、ユーザが指により採点ボタン６０をタッチした場合、又は、ユーザが電子ペン１により採点ボタン６０をタップした場合、表示制御手段３４１は、タッチパネル入力情報又は記入情報に基づき、採点ボタン６０が選択されたことを認識する。この場合、表示制御手段３４１は、処理モードが正誤評価を行うモード（「評価モード」とも呼ぶ。）に移行したと判断し、採点ボタン６０を強調表示させる。そして、評価モードでは、表示制御手段３４１は、各設問（１）〜（５）に対する正解を表示した正解表示エリア５３の各々を、対応する解答表示エリア５２Ａ〜５２Ｅの横に配置し、ディスプレイ４上に表示させる。また、表示制御手段３４１は、採点ボタン６０に並べて、後述する評価一括決定ボタン６１、６２をディスプレイ４上に表示させる。このように、採点ボタン６０は、本発明における「開始ボタン」の一例である。
【００５０】
そして、評価モードでは、表示制御手段３４１は、電子ペン１から送信される記入情報に基づきディスプレイ４上に描画するストロークを、評価記号を描画するストロークであると認識し、解答表示欄５２に表示された解答とは異なる色（例えば赤色）によりディスプレイ４に表示させる。図７では、ユーザが、ディスプレイ４に表示されている自分の解答と正解とを比較し、自分の解答が不正解であると認識した設問（３）（４）の解答表示エリア５２Ｃ，５２Ｄに不正解を示すチェックマークを電子ペン１で記入すると、その記入情報を得て、表示制御手段３４１は、評価モード中に電子ペン１から受信した記入情報に基づき、設問（３）及び設問（４）の解答表示エリア５２Ｃ、５２Ｄに、不正解である旨を示す評価記号であるチェックマークを赤色により表示している。
【００５１】
また、評価モードでは、評価手段３４２は、評価記号が記入される可能性があるエリアである評価記号認識エリア５５Ａ〜５５Ｅにおいて、各解答に対する評価記号が記入されたか否か判定する。図７では、評価手段３４２は、評価記号認識エリア５５Ａ〜５５Ｅを、それぞれ解答表示エリア５２Ａ〜５２Ｅを中心として当該解答表示エリア５２Ａ〜５２Ｅよりも所定率又は所定幅だけ大きい矩形領域に設定している。そして、図７の例では、評価手段３４２は、評価記号認識エリア５５Ａ〜５５Ｅのうち、設問（３）及び設問（４）に対応する評価記号認識エリア５５Ｃ、５５Ｄに評価記号が記入され、他の評価記号認識エリア５５Ａ、５５Ｂ、５５Ｅには評価記号が記入されていないことを認識する。好適には、評価手段３４２は、評価記号が記入されたと判断した評価記号認識エリア５５Ｃ、５５Ｄにおいて、記入された評価記号の種類（ここでは誤答記号）をさらに認識するとよい。
【００５２】
次に、評価一括決定ボタン６１、６２について説明する。評価手段３４２は、評価一括ボタン６１が選択された場合、未評価解答が全て正解であることを認識する。そして、この場合、表示制御手段３４１は、未評価解答に対応する各解答表示エリア５２上に、正解記号を表示させる。また、評価手段３４２は、評価一括ボタン６２が選択された場合、未評価解答が全て誤答であることを認識する。そして、この場合、表示制御手段３４１は、未評価解答に対応する各解答表示エリア５２上に、誤答記号を表示させる。このように、評価一括決定ボタン６１、６２は、本発明における「評価決定ボタン」の一例である。
【００５３】
図８は、図７の状態から評価一括決定ボタン６１が選択された後の端末装置３の上面図を示す。図８の例では、ユーザが、ディスプレイ４に表示されている自分の解答と正解とを比較し、自分の解答が正答であった設問（１）（２）（５）の解答への評価を未入力の状態にしておき、評価一括決定ボタン６１を指でタッチしている。評価手段３４２は、タッチパネル入力情報に基づき、図７の状態から評価一括決定ボタン６１が指によりタッチされたことを認識する。この場合、評価手段３４２は、評価記号が記入されていない評価記号認識エリア５５Ａ、５５Ｂ、５５Ｅに対応する設問（１）、（２）、（５）の解答が未評価解答であり、かつ、当該未評価解答が正解であると認識する。そして、この場合、表示制御手段３４１は、未評価解答に対応する解答表示エリア５２Ａ、５２Ｂ、５２Ｅ上に正解記号を表示させる。なお、評価手段３４２及び表示制御手段３４１は、電子ペン１から送信される記入情報に基づき、評価一括決定ボタン６１が選択されたことを認識した場合も、同様の処理を行う。
【００５４】
なお、図７及び図８の例に代えて、ユーザは、正解した問題である設問（１）、（２）、（５）に対する解答表示エリア５２へ正解記号を付した状態で、評価一括ボタン６２を選択してもよい。この場合、評価手段３４２は、評価記号が記入されていない評価記号認識エリア５５Ｃ、５５Ｄに対応する設問（３）、（４）の解答が未評価解答であり、かつ、当該未評価解答が不正解であると認識する。そして、この場合、表示制御手段３４１は、未評価解答に対応する解答表示エリア５２Ｃ、５２Ｄ上に正解記号を表示させる。
【００５５】
また、好適は、評価手段３４２は、評価一括ボタン６１、６２のいずれか一方が選択されたことを認識し、未評価解答が正解又は誤答であることを認識した後、正解した問題に割り当てられた配点を合算して点数を算出するとよい。例えば、図８において各設問（１）〜（５）の配点が２０点である場合、評価手段３４２は、点数が６０点であると認識し、各問題の正誤評価と共に記憶手段３５に記憶させる。この場合、表示制御手段３４１は、評価手段３４２が採点した点数を、ディスプレイ４上に表示させるとよい。
【００５６】
［第１実施形態の評価システムによる作用効果］
第１実施形態の評価システムによれば、端末装置３は、電子ペン１から送信される記入情報に基づき、解答の一覧をディスプレイ４上に表示させる。そして、端末装置３は、ディスプレイ４上での電子ペン１の記入に基づき生成された記入情報に基づき、各解答に対して評価記号が記入されたか否か判定することで、未評価解答を認識する。そして、端末装置３は、評価一括決定ボタン６１、６２が選択された場合、未評価解答の正誤評価を一括して決定し、各未評価解答の解答表示エリア５２に対して評価記号を描画する。このようにすることで、端末装置３は、ディスプレイ４上で正誤評価の入力を好適に受け付けると共に、未評価解答が同一の評価となった場合に、当該未評価解答の正誤に関する評価を一括して決定することができる。
【００５７】
［第１実施形態の変形例］
次に、第１実施形態の変形例について説明する。以下の変形例は、任意に組み合わせて上述の第１実施形態に適用してもよい。
【００５８】
（変形例１）
図７の例では、端末装置３の表示制御手段３４１は、電子ペン１から受信した記入情報に基づき、手書きストロークの誤答記号をディスプレイ４上に表示させた。しかし、本発明が適用可能な構成は、これに限定されない。これに代えて、表示制御手段３４１は、電子ペン１によるタップ操作又は指によるタッチ操作に基づき、評価記号認識エリア５５内に正解記号又は誤答記号のストロークを描画してもよい。
【００５９】
図９は、変形例１に係るディスプレイ４の表示画面を示す。図９の例では、表示制御手段３４１は、採点ボタン６０が選択された後の評価モード中に、正解記号ボタン６３と、誤答記号ボタン６４と、取消しボタン６５と、確定ボタン６６とをディスプレイ４に表示させる。
【００６０】
ここで、正解記号ボタン６３、誤答記号ボタン６４、取消しボタン６５、及び確定ボタン６６の各機能について説明する。表示制御手段３４１は、正解記号ボタン６３が選択された場合、正解記号ボタン６３を通常の表示状態と強調表示された状態とで切り替える。そして、表示制御手段３４１は、正解記号ボタン６３が強調表示された状態では、記入情報又はタッチパネル入力情報に基づき、解答表示エリア５２が電子ペン１又は指によりタップ又はタッチされたか否かを判定し、タップ又はタッチされた解答表示エリア５２に正解記号を描画する。また、このとき、評価手段３４２は、電子ペン１又は指によりタップ又はタッチされた解答表示エリア５２に対応する解答が正解であることを認識する。同様に、表示制御手段３４１は、誤答記号ボタン６４が選択された場合、誤答記号ボタン６４を通常の表示状態と強調表示された状態とで切り替える。そして、表示制御手段３４１は、誤答記号ボタン６４が強調表示された状態では、記入情報又はタッチパネル入力情報に基づき、解答表示エリア５２が電子ペン１又は指によりタップ又はタッチされたか否かを判定し、タップ又はタッチされた解答表示エリア５２に誤答記号を描画する。また、このとき、評価手段３４２は、電子ペン１又は指によりタップ又はタッチされた解答表示エリア５２に対応する解答が誤答であることを認識する。
【００６１】
図９の例では、表示制御手段３４１は、採点ボタン６０及び誤答記号ボタン６４の選択に伴い、これらを強調表示している。そして、表示制御手段３４１は、タッチパネル入力情報に基づき、解答表示エリア５２Ｃが指によりタッチされたことを認識し、解答表示エリア５２Ｃに誤答記号を描画している。
【００６２】
また、表示制御手段３４１は、取消しボタン６５を通常の表示状態と強調表示された状態とで切り替える。そして、取消しボタン６５が強調表示された状態では、表示制御手段３４１は、解答表示エリア５２が電子ペン１又は指によりタップ又はタッチされたか否かを判定し、タップ又はタッチされた解答表示エリア５２に描画した評価記号の表示を消去する。また、このとき、評価手段３４２は、電子ペン１又は指によりタップ又はタッチされた解答表示エリア５２に対応する解答を、未評価解答であると認識する。また、確定マーク６６が選択された場合、表示制御手段３４１は、各問題の解答の評価を確定する。そして、この場合、好適には、評価手段３４２は、正解であると認識した解答に対する問題に配分された配点を合算した点数を算出し、各問題の正誤評価の情報と共に記憶手段３５に記憶させる。また、表示制御手段３４１は、評価手段３４２が算出した点数をディスプレイ４上に表示させる。
【００６３】
（変形例２）
採点ボタン６０が選択された評価モード中では、表示制御手段３４１は、問題をディスプレイ４に表示させなくともよい。図１０は、評価モードでのディスプレイ４の表示画面を示す。図１０に示すように、この場合、各設問（１）〜（５）に対し、表示制御手段３４１は、問題の表示エリアを設けず、解答表示エリア５２及び正解表示エリア５３のみを設けている。これにより、表示制御手段３４１は、解答と正解とを目立つように表示させ、ユーザが答え合わせをする際の視認性を向上させることができる。
【００６４】
（変形例３）
ディスプレイ４の構造は、図５に示す構造に限定されない。例えば、ディスプレイ４は、ＤＯＬ４０を有しなくともよい。この場合、タッチパネル４４は、抵抗膜方式タッチパネル、超音波方式タッチパネル、光学方式タッチパネルなどの種々の方式のタッチパネルであり、スタイラスによる接触を検知する。そして、この場合、端末装置３は、評価モード時には、タッチパネル入力情報に基づき、スタイラスによるディスプレイ４上での評価記号のストロークを認識し、当該ストロークをディスプレイ４上に描画する。
【００６５】
他の例では、ディスプレイ４は、タッチパネル４４を有しなくともよい。この場合、端末装置３は、採点ボタン６０などの各種ボタンの選択を、電子ペン１のタップ操作により生成されて送信された記入情報やマウスのクリック操作に基づき認識する。
【００６６】
（変形例４）
評価システムは、問題用紙２に代えて、複数の頁から構成される冊子（例えばドリル帳）を有してもよい。この場合、冊子の各頁には、問題と、解答欄とが設けられ、各解答欄には、ドットパターンが印刷される。このとき、冊子の各頁の解答欄には、それぞれ座標領域が重ならないようドットパターンが形成される。そして、冊子の所定頁の解答欄に電子ペン１により記入が行われた場合、端末装置１の表示制御手段３４１は、電子ペン１から受信する記入情報が示す座標情報に基づき、記入が行われた頁を認識し、当該頁の画像及び記入情報に基づくストロークをディスプレイ４に表示させる。その後、表示制御手段３４１及び評価手段３４２は、第１実施形態と同様の処理を行う。この場合、冊子の各頁は、本発明における「シート」の一例である。
【００６７】
（変形例５）
図１等では、問題用紙２に印刷された設問（１）〜（５）は、正誤評価が正解又は不正解のいずれかとなる問題であった。しかし、本発明が適用可能な例は、これに限定されない。これに代えて、正誤評価が、正解と、不正解と、正解及び不正解の中間評価である部分正解との評価に分かれる問題が問題用紙２に印刷されてもよい。
【００６８】
この場合、問題用紙２に印刷される問題は、例えば、穴埋め式の記述問題であって、不正解ではないが的確でない解答（例えば「動物」が正解の場合に「生物」とする解答）を部分正解とする問題や、論述式の問題であって、論点が的確に記載されているのが正解、論点が一部抜けている又はずれているのが部分正解、他の解答が不正解とする問題が該当する。
【００６９】
そして、この場合、表示制御手段３４１は、評価モードにおいて、評価一括決定ボタン６１、６２に加え、未評価解答を部分正解とする第３評価一括決定ボタンをさらにディスプレイ４上に表示させる。そして、第３評価一括決定ボタンが選択された場合、評価手段３４２は、未評価解答を部分正解の解答であると認識し、表示制御手段３４１は、未評価解答に対応する解答表示エリア５２に、部分正解である旨の評価記号である「△」を描画する。
【００７０】
（変形例６）
第１実施形態において、電子ペン、ドットパターン（コード化パターン）、記入情報に、アノト方式を用いたが、アノト方式に限られなくともよい。また、ドットパターン（コード化パターン）も、位置座標を示すものに限られず、アイコンを識別するためのコード値や、関連付けエリアを識別するためのコード値を示すものであってもよい。
【００７１】
＜第２実施形態＞
次に、第２実施形態について説明する。図１１は、第２実施形態に係る評価システムの構成を示す。第２実施形態の評価システムは、主に、複数の生徒（Ａさん、Ｂさん、Ｃさん）が電子ペン１及び問題用紙２の組をそれぞれ使用する点、学校の先生（講師）が端末装置３のディスプレイ４上に全生徒の解答を表示させて正誤評価を行う点で第１実施形態の変形例１と異なる。その他、第１実施形態の変形例１と同様の部分については、同一の符号を付し、適宜その説明を省略する。
【００７２】
図１１に示すように、第２実施形態に係る評価システムは、生徒Ａ〜Ｃがそれぞれ使用する電子ペン１Ａ〜１Ｃ及び問題用紙２Ａ〜２Ｃと、先生が採点用に使用する端末装置３と、端末装置３とＷｉ−Ｆｉ（登録商標）に準拠した無線通信を行う無線ＬＡＮルータ５と、無線ＬＡＮルータ５とネットワーク６を介して接続するサーバ装置７とを有する。
【００７３】
端末装置３の記憶手段３５は、生徒Ａ〜Ｃの名前と、各生徒Ａ〜Ｃが使用する電子ペン１のペンＩＤとを関連付けて記憶すると共に、各問題用紙２Ａ〜２Ｃの各解答記入欄２２等に印刷されたドットパターンの座標領域を座標定義情報として記憶する。なお、問題用紙２Ａ〜２Ｃの各々に対して同一の座標領域のドットパターンが印刷されてもよく、異なる座標領域のドットパターンが印刷されてもよい。
【００７４】
また、端末装置３の表示制御手段３４１は、後述するように、問題用紙２Ａ〜２Ｃの解答記入欄２２に記入された全生徒の設問（１）〜（５）に対する解答を、ディスプレイ４上に一覧表示する。そして、評価手段３４２及び表示制御手段３４１は、第１実施形態の変形例１と同様の処理を行い、先生の操作に基づき、全生徒の設問（１）〜（５）の解答に対する正誤評価の決定及び評価記号の描画を行う。これについては、図１２及び図１３を参照して詳しく説明する。
【００７５】
また、端末装置３の評価手段３４２は、正誤評価の決定後に、各生徒Ａ〜Ｃの各問題に対する解答を示す記入情報、当該解答に対する正誤評価、及び算出した点数の情報を、無線ＬＡＮルータ５及びネットワーク６を介して、通信手段３２によりサーバ装置７へ送信する。サーバ装置７は、端末装置３から送信される情報を、学習履歴の情報として、生徒Ａ〜Ｃごとに記憶する。
【００７６】
次に、第２実施形態において表示制御手段３４１及び評価手段３４２が実行する処理について、図１２及び図１３を参照して説明する。
【００７７】
図１２は、第２実施形態における端末装置３の上面図である。図１２に示すように、表示制御手段３４１は、生徒Ａ〜Ｃの各解答記入欄２２内の記入内容を表示するための解答表示エリア５２Ａ〜５２Ｃと、採点ボタン６０とをディスプレイ４に表示させる。そして、表示制御手段３４１は、採点ボタン６０が選択されていない場合には、電子ペン１Ａ〜１Ｃから送信される記入情報に含まれるペンＩＤに基づき、記入を行った生徒を認識すると共に、記入情報に含まれる座標情報に基づき、座標定義情報を参照して、記入されたストロークがいずれの設問に対する解答を示すかを認識する。そして、表示制御手段３４１は、上述の認識結果に基づき、解答表示エリア５２Ａ〜５２Ｃのいずれかのエリアに、記入情報に基づくストロークを描画する。
【００７８】
図１３は、図１２の状態から、生徒Ａ〜Ｃの解答の記入が終了して採点ボタン６０が選択された後の端末装置３の上面図である。まず、表示制御手段３４１は、採点ボタン６０が選択されて評価モードになった場合、正解表示欄５３を設け、端末装置３を使用する先生が答え合わせをしやすいように、各問題に対する正解を表示する。また、表示制御手段３４１は、評価一括決定ボタン６１、６２、正解記号ボタン６３、誤答記号ボタン６４、取消しボタン６５、及び確定ボタン６６を各解答表示エリア５２Ａ〜５２Ｃの下に表示する。そして、図１３の例では、表示制御手段３４１は、誤答記号ボタン６４が選択されたことにより誤答記号ボタン６４を強調表示し、かつ、解答表示エリア５２のうち指先によりタッチされた解答表示エリア５２に対して誤答記号を描画している。また、このとき、評価手段３４２は、解答表示エリア５２のうち指先によりタッチされた解答表示エリア５２に対する解答が誤答であることを認識する。
【００７９】
図１４は、図１３の状態において、評価一括決定ボタン６１が選択された直後の端末装置３の上面図である。評価手段３４２は、タッチパネル入力情報に基づき、評価一括決定ボタン６１が選択されたことを認識した場合、未評価解答が全て誤答であると判断する。そして、表示制御手段３４１は、未評価解答に対応する各解答表示エリア５２に対して誤答記号を描画する。その後、確定マーク６６が選択された場合、表示制御手段３４１は、各問題の解答の評価を確定する。そして、この場合、評価手段３４２は、正解であると認識した解答に対する問題に配分された配点を合算した点数を算出し、表示制御手段３４１は、評価手段３４２が算出した点数をディスプレイ４上に表示させる。また、この場合、評価手段３４２は、各生徒Ａ〜Ｃの各問題に対する解答を示す記入情報、当該解答に対する正誤評価の情報、及び算出した点数の情報を、無線ＬＡＮルータ５及びネットワーク６を介して、通信手段３２によりサーバ装置７へ送信する。
【００８０】
［第２実施形態の評価システムによる作用効果］
第２実施形態の評価システムによれば、先生が使用する端末装置３は、生徒Ａ〜Ｃが問題用紙２Ａ〜２Ｃに記入した解答の一覧をディスプレイ４に表示し、タッチパネル入力情報に基づき、各解答の正誤評価を決定する。これにより、先生は、各生徒の解答に対する正誤評価を一括して実行することができる。
【００８１】
また、端末装置３は、評価一括決定ボタン６１、６２が選択された場合に、未評価解答に対する正誤評価を一括して決定し、対応する評価記号をディスプレイ４に描画させる。これにより、採点者である先生は、正解又は誤答のいずれかの正誤評価を行った後、他方の正誤評価に相当する評価一括決定ボタン６１、６２を選択することで、未評価解答の正誤評価を一括して決定することができる。従って、端末装置３は、先生の操作の負担を好適に低減することができる。
【００８２】
［第２実施形態の変形例］
次に、第２実施形態の変形例について説明する。第２実施形態では、第１実施形態の変形例１〜６に加え、以下の変形例７を適用可能である。
【００８３】
（変形例７）
先生は、生徒Ａ〜Ｃが使用する電子ペン１Ａ〜１Ｃとは別の電子ペン１を有し、当該電子ペン１により各問題用紙２Ａ〜２Ｃに正解記号又は誤答記号のいずれか一方の評価記号を付してもよい。
【００８４】
この場合、端末装置３の記憶手段３５は、先生が使用する電子ペン１のペンＩＤを、採点者用の電子ペン１のペンＩＤとして記憶しておく。そして、表示制御手段３４１は、電子ペン１から受信した記入情報に基づき、採点者用の電子ペン１により評価記号認識エリア５５内へストロークが記入されたことを検知した場合、当該ストロークを採点用の色（赤色）によりディスプレイ４上に表示する。そして、評価手段３４２は、当該ストロークを評価記号として認識する。そして、先生は、電子ペン１により、各問題用紙２Ａ〜２Ｃに正解記号又は誤答記号のいずれか一方の評価記号を付した後、ディスプレイ４に表示された評価一括決定ボタン６１、６２のいずれか一方を選択する。この場合、評価手段３４２は、タッチパネル入力情報に基づき、選択された評価一括決定ボタン６１又は評価一括決定ボタン６２を認識し、未評価解答に対する正誤評価を決定する。また、表示制御手段３４１は、未評価解答に対応する解答表示エリア５２に、該当する評価記号を描画する。
【００８５】
また、先生は、第１実施形態と同様に、電子ペン１によりディスプレイ４上で評価記号を記入してもよい。この場合、評価手段３４２は、第１実施形態と同様、記入情報に基づき、評価記号認識エリア５５内への記入の有無を判断することで、評価記号が記入されたか否か判断する。同様に、端末装置３は、電子ペン１から送信される記入情報に基づき、採点ボタン６０や評価一括決定ボタン６１、６２等の各ボタンの選択を認識してもよい。
【符号の説明】
【００８６】
１、１Ａ〜１Ｃ…電子ペン
２、２Ａ〜２Ｃ…問題用紙
３…端末装置
４…ディスプレイ
３１  入力手段
３２…受信手段
３４…処理手段
３５…記憶手段
４０…ＤＯＬ
４４…タッチパネル
４５…ディスプレイパネル
【図１】
2014134854.tif 000003
【図２】
2014134854.tif 000004
【図３】
2014134854.tif 000005
【図４】
2014134854.tif 000006
【図５】
2014134854.tif 000007
【図６】
2014134854.tif 000008
【図７】
2014134854.tif 000009
【図８】
2014134854.tif 000010
【図９】
2014134854.tif 000011
【図１０】
2014134854.tif 000012
【図１１】
2014134854.tif 000013
【図１２】
2014134854.tif 000014
【図１３】
2014134854.tif 000015
【図１４】
2014134854.tif 000016